(57)【要約】【課題】給水用ボトルから自動給水が行われる給水式プランター装置を提供すること。【解決手段】給水容器１と、この給水容器１に上方から載置するプランター容器２とから成り、プランター容器２の底部に、給水容器１の底部内面に載置する脚部３を複数垂設し、この各脚部３は、中空形状に形成してこの各脚部３内の中空部４にも土５を収容可能とし、この各脚部３に、中空部４に導水する導水孔６を設け、プランター容器２の側壁部に、注ぎ口10を下に向けた給水用ボトル９を差し込むボトル差込部８を設け、このボトル差込部８に差し込んだ前記給水用ボトル９を支持して、この給水用ボトル９の注ぎ口10をプランター容器２の底部より下方に位置決め配置するボトル支持部11を給水容器１に設けた給水式プランター装置。【選択図】図４
2014027909.tif 000002
【特許請求の範囲】
【請求項１】
上部開口形の給水容器と、この給水容器に上方から載置する上部開口形のプランター容器とから成り、前記プランター容器の底部に、前記給水容器の底部内面に接地してこのプランター容器の底部を給水容器の底部内面より浮上状態で載置可能な脚部を複数垂設し、この複数の脚部は、中空形状に形成してこの各脚部内の中空部にも土を収容可能な構成とすると共に、この各脚部に、前記中空部に導水する導水孔を設けて、この導水孔から前記給水容器内に収容した水が、中空部に収納した土を介して前記プランター容器内に収容した土へと導水する構成とし、このプランター容器の側壁部に、プランター容器の内側に向けて凹む形状のボトル差込部を設けて、このボトル差込部に、注ぎ口を下に向けた給水用ボトルを差し込むことで注ぎ口を前記給水容器内に配置し得るように構成し、前記給水容器の上部開口部に、前記ボトル差込部に差し込んだ前記給水用ボトルを支持して、この給水用ボトルの前記注ぎ口を前記プランター容器の底部より下方に位置決め配置するボトル支持部を設けたことを特徴とする給水式プランター装置。
【請求項２】
前記プランター容器の側壁部に、前記給水用ボトルを傾斜状態にして差込可能な凹み形状の凹み部を形成して、この凹み部を前記ボトル差込部とし、このボトル差込部に差し込まれた傾斜状態の給水用ボトルを前記ボトル支持部で支持して、給水用ボトルの前記注ぎ口を前記プランター容器の底部より下方に位置決め配置する構成としたことを特徴とする請求項１記載の給水式プランター装置。
【請求項３】
前記給水容器は、透明若しくは半透明に構成して、この給水容器内の水位を外部から視認し得るようにしたことを特徴とする請求項１，２のいずれか１項に記載の給水式プランター装置。
【請求項４】
前記脚部の側面に、スリット状の前記導水孔を設けたことを特徴とする請求項１〜３のいずれか１項に記載の給水式プランター装置。
【請求項５】
前記給水容器に、前記プランター容器の前記各脚部を位置決め載置可能な位置決め部を設けたことを特徴とする請求項１〜４のいずれか１項に記載の給水式プランター装置。
【発明の詳細な説明】
【技術分野】
【０００１】
本発明は、水を入れた給水用ボトルをセットしておくことで自動的に給水が行われる給水式プランター装置に関するものである。
【背景技術】
【０００２】
プランターや植木鉢での植物栽培に、水やりは欠かせない。
【０００３】
特に夏季などは土が乾燥し易く、こまめに水やりの管理をしないと植物を枯らしてしまうことがある。
【発明の概要】
【発明が解決しようとする課題】
【０００４】
本発明は、ペットボトルなどの給水用ボトルを装着できて、この給水用ボトルから自動的に給水が行われる実用性に優れた給水式プランター装置を提供するものである。
【課題を解決するための手段】
【０００５】
添付図面を参照して本発明の要旨を説明する。
【０００６】
上部開口形の給水容器１と、この給水容器１に上方から載置する上部開口形のプランター容器２とから成り、前記プランター容器２の底部に、前記給水容器１の底部内面に接地してこのプランター容器２の底部を給水容器１の底部内面より浮上状態で載置可能な脚部３を複数垂設し、この複数の脚部３は、中空形状に形成してこの各脚部３内の中空部４にも土５を収容可能な構成とすると共に、この各脚部３に、前記中空部４に導水する導水孔６を設けて、この導水孔６から前記給水容器１内に収容した水７が、中空部４に収納した土５を介して前記プランター容器２内に収容した土５へと導水する構成とし、このプランター容器２の側壁部に、プランター容器２の内側に向けて凹む形状のボトル差込部８を設けて、このボトル差込部８に、注ぎ口10を下に向けた給水用ボトル９を差し込むことで注ぎ口10を前記給水容器１内に配置し得るように構成し、前記給水容器１の上部開口部に、前記ボトル差込部８に差し込んだ前記給水用ボトル９を支持して、この給水用ボトル９の前記注ぎ口10を前記プランター容器２の底部より下方に位置決め配置するボトル支持部11を設けたことを特徴とする給水式プランター装置に係るものである。
【０００７】
また、前記プランター容器２の側壁部に、前記給水用ボトル９を傾斜状態にして差込可能な凹み形状の凹み部８を形成して、この凹み部８を前記ボトル差込部８とし、このボトル差込部８に差し込まれた傾斜状態の給水用ボトル９を前記ボトル支持部11で支持して、給水用ボトル９の前記注ぎ口10を前記プランター容器２の底部より下方に位置決め配置する構成としたことを特徴とする請求項１記載の給水式プランター装置に係るものである。
【０００８】
また、前記給水容器１は、透明若しくは半透明に構成して、この給水容器１内の水位を外部から視認し得るようにしたことを特徴とする請求項１，２のいずれか１項に記載の給水式プランター装置に係るものである。
【０００９】
また、前記脚部３の側面に、スリット状の前記導水孔６を設けたことを特徴とする請求項１〜３のいずれか１項に記載の給水式プランター装置に係るものである。
【００１０】
また、前記給水容器１に、前記プランター容器２の前記各脚部３を位置決め載置可能な位置決め部12を設けたことを特徴とする請求項１〜４のいずれか１項に記載の給水式プランター装置に係るものである。
【発明の効果】
【００１１】
本発明は上述のように構成したから、給水容器内の水が毛細管現象により自動的にプランター容器内へと供給されると共に、この給水によって給水容器の水位が給水用ボトルの注ぎ口より低くなると、給水用ボトルから自動的に水が給水容器へと供給されて給水容器の水位が略一定に保たれるので、長期間の水やり管理が不要となる便利な給水式プランター装置となり、しかも、給水用ボトルの注ぎ口をプランター容器の底部より下方に配置するから、給水容器内の水位が自動的にプランター容器底部より下方の給水用ボトルの注ぎ口付近に保たれ、これによりプランター容器の底部が給水容器内の水に浸り続けて根腐れするような心配もなく、その上、ボトル差込部を、プランター容器の内側に向けて凹む形状としたから、このボトル差込部に差し込んだ給水用ボトルの注ぎ口を給水容器内に配置して、この注ぎ口を給水容器のボトル支持部でプランター容器の底部より下方に位置決め配置する構成を簡易に設計実現可能となるなど、極めて実用性に優れた給水式プランター装置となる。
【００１２】
また、請求項２記載の発明においては、給水用ボトルを傾斜状態で差し込み支持する構成としたから、給水容器内の水位が下がった際に給水用ボトルの傾いた注ぎ口から給水用ボトル内に空気が入り込み易く、そのため給水用ボトルからの給水容器内への水の供給がスムーズに行われる一層実用性に優れた構成の給水式プランター装置となる。
【００１３】
また、請求項３記載の発明においては、給水容器内の水位の変化を外部から確認できるために給水容器や給水用ボトルへの給水タイミングを見極め易い一層実用性に優れた構成の給水式プランター装置となる。
【００１４】
また、請求項４記載の発明においては、脚部の中空部内に収納した土が導水孔から漏出しにくい一層実用性に優れた構成の給水式プランター装置となる。
【００１５】
また、請求項５記載の発明においては、給水容器に対してプランター容器を安定的に載置できる一層実用性に優れた構成の給水式プランター装置となる。
【図面の簡単な説明】
【００１６】
【図１】実施例１を示す斜視図である。
【図２】実施例１を示す分解斜視図である。
【図３】実施例１の給水容器とプランター容器との連結構造並びに移動用コロを示す部分拡大側断面図である。
【図４】実施例１の使用状態を示す一部を省略した説明正断面図である。
【図５】実施例１の使用状態を示す説明側断面図である。
【図６】実施例２を示す分解斜視図である。
【発明を実施するための形態】
【００１７】
好適と考える本発明の実施形態を、図面に基づいて本発明の作用を示して簡単に説明する。
【００１８】
プランター容器２内に土５を収容するが、この際、底部に垂設する複数の脚部３の中空部４にも土５を収容する。
【００１９】
例えば、予め給水容器１に水７を収容しておき、この給水容器１の底部内面に複数の脚部３を接地（載置）すると、プランター容器２の底部が給水容器１の底部内面より浮上状態となって給水容器１上にプランター容器２がセットされることになる。尚、給水容器１にプランター容器２をセットしてから、給水容器１に水７を収容するようにしても良い。
【００２０】
また、水７を収容した給水用ボトル９を、その注ぎ口11を下に向けてプランター容器２の側壁部のボトル差込部８に差し込んで給水容器１のボトル支持部11に支持する。
【００２１】
すると、プランター容器２の内側に向けて凹む形状のボトル差込部８に差し込まれた給水用ボトル９の注ぎ口10は、プランター容器２下方の給水容器１内へと配置されると共に、ボトル支持部11に支持されて給水用ボトル９の前記注ぎ口10が前記プランター容器２の底部より下方に位置決め配置することになり、この注ぎ口10が、給水用ボトル９からの給水による給水容器１内の水位上昇あるいは給水容器１内に収容する水量の調整設定によって給水容器１内の水７に浸たると、給水容器１内の水７（水面）に作用する大気圧によって給水用ボトル９内の水７の流出が抑制されるので、給水容器１内の水７は溢れない。
【００２２】
また、給水容器１内の水位が、給水用ボトル９の前記注ぎ口10付近、即ちプランター容器２の底部より下方に保たれるため、プランター容器２の底部が給水容器１内の水７に浸り続けるようなことはなく、従って水７の過剰供給による根腐れの心配はない。
【００２３】
給水容器１内の水７は、複数の脚部３の導水孔６を介して中空部４内の土５に浸透し、毛細管現象によりプランター容器２内の土５にまで導水してプランター容器２内に植えた植物Ｓへと供給されることになる。
【００２４】
そして、この水７の供給によって給水容器１内の水位が給水用ボトル９の注ぎ口10より低くなると、給水用ボトル９から水７が流出して給水容器１の水位が再び上昇し、水位が給水用ボトル９の注ぎ口10より高くなると、再び給水用ボトル９からの水７の流出が抑制されて水位がこの注ぎ口10付近で安定することになる。
【００２５】
従って、毛細管現象により給水容器１内の水７が自動的にプランター容器２内へと供給され、これにより給水容器１の水位が給水用ボトル９の注ぎ口10より低くなると、給水用ボトル９から自動的に水７が給水容器１へと供給されて給水容器１の水位が略一定に保たれることになるので、長期間の水やり管理が不要となる。
【実施例１】
【００２６】
本発明の具体的な実施例１について図１〜図５に基づいて説明する。
【００２７】
本実施例の給水式プランター装置は、図１，図２に示すように、上部開口形の給水容器１と、この給水容器１に上方から載置する上部開口形のプランター容器２とから成る構成としている。
【００２８】
本実施例の給水容器１は、平面視略長方形状をなす合成樹脂製の浅底型容器に構成している。
【００２９】
また、この給水容器１は、その底部内面に、後述するプランター容器２の各脚部３を位置決め状態で載置（接地）可能な位置決め部12を、各脚部３の数と垂設位置に対応させて複数設けている。
【００３０】
この位置決め部12について更に詳しく説明すると、図２に示すように、各脚部３を位置決め載置可能な平面視方形状をなす複数の凹部12Ａを給水容器１の樹脂成形に際して一体成形して、この複数の凹部12Ａを位置決め部12とした場合を示している。
【００３１】
また、この給水容器１底部の対向短辺部のうちの一方側（図１，図２において図面奥側）の数箇所（詳しく図示していないが本実施例では三箇所）に、移動用のコロ13を設けている。このコロ13は、図３に示すように常態では接地せず、給水容器１の他側の短辺部を上方へ持ち上げて給水容器１を傾けた際に接地して、この状態での移動が容易に可能となるように構成している。
【００３２】
また、この給水容器１は、透明若しくは半透明の合成樹脂材により構成して、この給水容器１内の水位を外部から視認し得るようにしている。
【００３３】
本実施例のプランター容器２は、図１，図２に示すように、平面視略長方形状をなす合成樹脂製の深底型容器に構成している。
【００３４】
また、このプランター容器２は、その下部が前記給水容器１の上部開口部と同等の外形状を有し、このプランター容器２の底部外面の複数箇所に、前記給水容器１の底部内面（の前記凹部12Ａ）に接地してこのプランター容器２の底部を給水容器１の底部内面より浮上状態で載置可能な脚部３を垂設している。
【００３５】
また、ここで脚部３について詳しく説明すると、角柱形であって、下端側程徐々に先細る形状に形成すると共に、中空形状に形成してこの各脚部３内の中空部４にも土５を収容可能な構成としている。
【００３６】
また、この角柱形の脚部３は、その下面から下面の両側に連設する対向側面に至る長さのスリット状の導水孔６を貫通形成して（脚部３の下面と下面の両側の対向側面との三面にわたってスリット状の導水孔６を貫通形成して）、このスリット状の導水孔６から中空部４内に導水され、且つ脚部３の中空部４内に収納した土５が導水孔６から漏出しにくい構成としている。
【００３７】
また、この導水孔６を有する角柱状の各脚部３は、プランター容器２の樹脂成形に際して一体成形している。
【００３８】
また、プランター容器２の底部には、通気と排水を兼ねる底孔14を貫通形成（一体成形）し、側壁部の下側には、スリット状の空気取入窓15を貫通形成（一体成形）している。
【００３９】
また、このプランター容器２の対向短辺部に存する側壁部の一方（図１，図２において図面手前側）に、プランター容器２の内側に向けて凹む形状のボトル差込部８を設けて、このボトル差込部８に、注ぎ口10を下に向けた給水用ボトル９を差し込むことで注ぎ口10を前記給水容器１内に配置し得るように構成している。
【００４０】
具体的には、前記給水用ボトル９を傾斜状態にして差込可能な凹み形状の凹み部８を、プランター容器２の樹脂成形に際して一体成形して、この凹み部８を前記ボトル差込部８としている。
【００４１】
また、ボトル差込部８は、本実施例では容量５００ｍｌのペットボトルを給水用ボトル９として差込可能な形状に形成しているが、他のボトルを差し込み可能な形状としても良い。
【００４２】
更に具体的には、ボトル差込部８は、図４に示すように傾斜状態の給水用ボトル９の注ぎ口10と、給水用ボトル９の中ほどの外周面とを当接支持可能な形状に形成している。
【００４３】
本実施例では、前記給水容器１の上部開口部に、上方から前記プランター容器２を載置して着脱自在に装着し得るように構成している。
【００４４】
この給水容器１とプランター容器２の着脱自在な装着構造について具体的に説明すると、給水容器１の対向短辺部に存する対向側壁部の夫々の上部に、給水容器１内方へ向けて係止爪16を一体成形により突設し、この係止爪16が係止する爪受部17（爪受孔）をプランター容器２の対向短辺部に存する対向側壁部の夫々の下部に設けて、給水容器１に上方からプランター容器２を載置した際にこの各係止爪16を各爪受部17に圧入係止させると、給水容器１にプランター容器２が装着して一体化する構造としている。そして、一体化させた給水容器１とプランター容器２とを前記コロ13の作用によって容易に移動させることができる構成としている。尚、給水容器１からプランター容器２を分離させる場合には、前記ボトル差込部８に手を入れて給水容器１の側壁部を外方へ撓ませることにより係止爪16を爪受部17から係脱させる。
【００４５】
また、本実施例では、給水容器１にプランター容器２を装着した状態で、前記ボトル差込部８に前記注ぎ口10を下に向けて前記給水用ボトル９を差し込んだ際に、この給水用ボトル９の注ぎ口10よりやや上方側の外面（給水用ボトル９の肩部分の外面）を当接支持して、この給水用ボトル９の前記注ぎ口10を前記プランター容器２の底部より下方に位置決め配置するボトル支持部11を、前記給水容器１の上部開口部に設けている。
【００４６】
具体的には、給水容器１の対向短辺部に存する他側の側壁部の上縁部を、給水用ボトル９の肩部分の外面を支持するボトル支持部11としている。
【００４７】
即ち、本実施例では、ボトル差込部８とボトル支持部11とにより、このボトル差込部８に差し込んだ給水用ボトル９を、その注ぎ口10と、肩部と、中ほど外周面の三点を支持して安定的に差し込み保持できる構成としている。
【００４８】
次に、上述のように構成した本実施例の使用方法並びに作用を説明する。
【００４９】
予めプランター容器２内に土５を収容しておくが、この際、底部に垂設する複数の脚部３の中空部４にも土５を収容しておく。
【００５０】
例えば、予め給水容器１に水７を収容しておき、この給水容器１の底部内面の位置決め部12（凹部12Ａ）に位置を合わせて、土を入れたプランター容器２の複数の脚部３を接地（載置）すると、プランター容器２の底部が給水容器１の底部内面より浮上状態となって給水容器１上にプランター容器２がセットされることになる。尚、給水容器１にプランター容器２をセットしてから、給水容器１に水７を収容するようにしても良い。
【００５１】
続いて、水７を収容した給水用ボトル９を、その注ぎ口11を下に向けてプランター容器２の側壁部のボトル差込部８に差し込んで給水容器１のボトル支持部11に支持する。
【００５２】
すると、プランター容器２の内側に向けて凹む形状のボトル差込部８に差し込まれた給水用ボトル９の注ぎ口10が、プランター容器２下方の給水容器１内へと配置されると共に、ボトル支持部11に支持されて給水用ボトル９の前記注ぎ口10が前記プランター容器２の底部より下方に位置決め配置することになり、この注ぎ口10を給水容器１内の水７に浸たすと、給水容器１内の水７（水面）に作用する大気圧によって給水用ボトル９内の水７の流出が抑制されるので、給水容器１内の水７が溢れることはない。
【００５３】
また、給水容器１内の水位が、給水用ボトル９の前記注ぎ口10付近、即ちプランター容器２の底部より下方に保たれるため、プランター容器２の底部が給水容器１内の水７に浸り続けるようなことはなく、従って水７の過剰供給による根腐れの心配もない。
【００５４】
給水容器１内の水７は、複数の脚部３のスリット状の導水孔６を介して中空部４内の土５に浸透し、毛細管現象によりプランター容器２内の土５にまで導水してプランター容器２内に植えた植物Ｓへと適量が供給されることになる。
【００５５】
この水７の供給によって給水容器１内の水位が給水用ボトル９の注ぎ口10より低くなると、給水用ボトル９から水７が流出して給水容器１の水位が再び上昇し、水位が給水用ボトル９の注ぎ口10より高くなると、再び給水用ボトル９からの水７の流出が抑制されて水位が安定することになる。また、給水容器１内の水位低下時には、給水用ボトル９の注ぎ口10の傾斜上方側が早期に水面から離れてこの部位から給水用ボトル９内に空気が入り込み易いので、スムーズに且つ直ちに給水用ボトル９から給水容器１内に給水が行われる。
【００５６】
従って、毛細管現象により給水容器１内の水７が自動的にプランター容器２内へと供給され、これにより給水容器１の水位が給水用ボトル９の注ぎ口10より低くなると、給水用ボトル９から自動的に水７が給水容器１へと供給されて給水容器１の水位が略一定に保たれることになる。
【００５７】
図中符号18は支柱取付穴である。
【実施例２】
【００５８】
本発明の具体的な実施例２について図６に基づいて説明する。
【００５９】
本実施例は、給水容器１並びにプランター容器２の形状を、前記実施例１とは異なる平面視円形に形成した場合である。
【００６０】
また、本実施例は、プランター容器２の各脚部３を位置決め載置可能な位置決め部12の構成が前記実施例１とは異なる。
【００６１】
即ち、本実施例の位置決め部12は、給水容器１の側壁部（周壁部）の内壁面に所定間隔を置いて複数設けている。
【００６２】
更に具体的には、小間隔を置いた二本一組の縦リブ12Ｂを給水容器１の樹脂成形に際して一体成形して、この二本一組の縦リブ12Ｂを、各縦リブ12Ｂ間にプランター容器２の脚部３を上方から挿入することで位置決めする前記位置決め部12とした場合を示している。
【００６３】
また、本実施例の給水容器１は、移動用のコロ13を設けない場合を示している。
【００６４】
他の構成は、前記実施例１と同様である。
【００６５】
尚、本発明は、実施例１，２に限られるものではなく、各構成要件の具体的構成は適宜設計し得るものである。
【符号の説明】
【００６６】
１  給水容器
２  プランター容器
３  脚部
４  中空部
５  土
６  導水孔
７  水
８  ボトル差込部・凹み部
９  給水用ボトル
10  注ぎ口
11  ボトル支持部
12  位置決め部
【図１】
2014027909.tif 000003
【図２】
2014027909.tif 000004
【図３】
2014027909.tif 000005
【図４】
2014027909.tif 000006
【図５】
2014027909.tif 000007
【図６】
2014027909.tif 000008